(57)【要約】【課題】本発明は、水田の暗渠排水あるいは土中灌水施設に用いられる暗渠排水用バルブにおいて、立ち管の長さ調節が簡単に行える調節水閘を提供することを目的とする。【解決手段】水閘チーズ３の立上管接続部２に固定立設された水閘立上管４と、該水閘立上管４外周にシールパッキンを介して摺動自在に嵌合されたスライド管５とからなり、前記スライド管５を水閘立上管４上部外周に沿って伸縮させて調節水閘Ａの高さ調節を行うことができるので、調節水閘Ａの上端の高さを任意に調節でき、前記スライド管キャップ６を畦畔の地面と同一面に配設できる。【選択図】  図１
2005016193.tif 000002
【特許請求の範囲】
【請求項１】
水平方向の排水管接続部と垂直方向の立上管接続部を有するＴ字状の水閘チーズと、該水閘チーズの立上管接続部に立設固着された水閘立上管と、該水閘立上管上部外周にシールパッキンを介して摺動自在に嵌合されたスライド管と、該スライド管の上端開口を閉塞するスライド管キャップと、前記水閘チーズ内部に一端を排水管接続部の内壁に連結され、他端を前記立上管接続部に同心円状に開口された屈曲管と、該屈曲管に下端を液密に接続され、前記水閘立上管内に同心円状に配置された蛇腹管と、該蛇腹管の上端を開口状に保持する操作桿ジョイントを下端に有し、該操作桿ジョイントに設けた袋ナットにより寸法目盛を形成した棒状体を上下調節自在にし、上端を前記スライド管内の上部取付溝に嵌合させた支持板により保持された操作桿とから構成されることを特徴とする調節水閘。
【請求項２】
水平方向の排水管接続部と垂直方向の立上管接続部を有するＴ字状の水閘チーズと、該水閘チーズの立上管接続部に立設固着された水閘立上管と、該水閘立上管外周にシールパッキンを介して摺動自在に嵌合されたスライド管と、該スライド管に収納ＢＯＸ継手を介して接続された大径の収納ＢＯＸ管と、該収納ＢＯＸ管の上端開口を閉塞する収納ＢＯＸキャップと、前記水閘チーズ内部に止水栓を設け、下端を該止水栓に接続され、前記水閘立上管、収納ＢＯＸ管内に立設された止水栓操作管と、前記収納ＢＯＸ管内底部の止水栓固定枠に設けた袋ナットにより前記止水栓操作管が上下調節自在に保持され、前記止水栓操作管の先端に接続された止水栓取手チーズとから構成されることを特徴とする調節水閘。
【発明の詳細な説明】
【０００１】
【発明の属する技術分野】
本発明は、例えば水田の暗渠排水あるいは土中灌水施設に用いられる調節水閘に関する。
【０００２】
【従来の技術】
従来、湿田、乾田化の管理のために、暗渠排水用バルブを開いた状態では水田下の地中水が集水管内に吸水され、排水管及び継手管を通って排水路に排水され、乾田化が図られ、一方暗渠排水用バルブを閉じた状態では集水管からの排水が遮断されるので、地中水が水田下に止まり、湿田化が図られる。
このようなものとして、本出願人の改良発明として出願した実用新案登録第３０８９４０２号が公知となっている。
しかし、従来の暗渠排水用バルブでは、立ち管の上端部および操作桿の上端部が畦畔において地上に突出するため、暗渠排水用バルブの上端部が畦畔における草刈りなどの作業の邪魔になると共に、農機具などにより暗渠排水用バルブを破損させてしまう恐れがあった。
そこで、作業の邪魔にならないと共に、農機具などにより破損させてしまうことを防止でき、また紫外線などによる劣化を防止できる暗渠排水用バルブが実用新案登録第３０３７４２１号として公知となっている。
【０００３】
【特許文献】
前記実用新案登録第３０３７４２１号は、図３に示すように、操作取手６４が保護ボックス５１内にあり、かつ該保護ボックス５１の上面開口が蓋体５４により閉じられるため、該蓋体５４のみを地上に露出させ、その他の部分は地中に埋設することが可能であり、しかも蓋体５４はその下面の嵌合部５５が保護ボックス５１内に嵌合し、前記嵌合部５５の周囲の段部５６が保護ボックス５１の上端面に載る構成になっているので保護ボックス５１全体を地中に埋設でき、ほぼ平板状の蓋体５４を畦畔２２の地面２２ａと同一面に配設できる暗渠排水用バルブである。
ところが、上記公知技術は、集水管２６に連通する継手管４２から畦畔２２の地面２２ａまでの高さは一定していないから、暗渠排水用バルブ４１の上端つまり蓋体５４を畦畔２２の地面２２ａに位置させるためには、立ち管４５及び操作杆６２を適当な長さに切断する必要があった。
【０００４】
【発明が解決しようとする課題】
そこで、本発明は、水田の暗渠排水あるいは土中灌水施設に用いられる暗渠排水用バルブにおいて、立ち管の長さ調節が簡単に行える調節水閘を提供することを目的とする。
【０００５】
【課題を解決するための手段】
そのために、本発明の調節水閘は、水平方向の排水管接続部と垂直方向の立上管接続部を有するＴ字状の水閘チーズと、該水閘チーズの立上管接続部に立設固着された水閘立上管と、該水閘立上管上部外周にシールパッキンを介して摺動自在に嵌合されたスライド管と、該スライド管の上端開口を閉塞するスライド管キャップと、前記水閘チーズ内部に一端を排水管接続部の内壁に連結され、他端を前記立上管接続部に同心円状に開口された屈曲管と、該屈曲管に下端を液密に接続され、前記水閘立上管内に同心円状に配置された蛇腹管と、該蛇腹管の上端を開口状に保持する操作桿ジョイントを下端に有し、該操作桿ジョイントに設けた袋ナットにより寸法目盛を形成した棒状体を上下調節自在にし、上端を前記スライド管内の上部取付溝に嵌合させた支持板により保持された操作桿とから構成されるものである。
また、本発明の調節水閘は、水平方向の排水管接続部と垂直方向の立上管接続部を有するＴ字状の水閘チーズと、該水閘チーズの立上管接続部に立設固着された水閘立上管と、該水閘立上管外周にシールパッキンを介して摺動自在に嵌合されたスライド管と、該スライド管に収納ＢＯＸ継手を介して接続された大径の収納ＢＯＸ管と、該収納ＢＯＸ管の上端開口を閉塞する収納ＢＯＸキャップと、前記水閘チーズ内部に止水栓を設け、下端を該止水栓に接続され、前記水閘立上管、収納ＢＯＸ管内に立設された止水栓操作管と、前記収納ＢＯＸ管内底部の止水栓固定枠に設けた袋ナットにより前記止水栓操作管が上下調節自在に保持され、前記止水栓操作管の先端に接続された止水栓取手チーズとから構成されるものである。
【０００６】
【発明の実施の形態】
以下に、本発明の調節水閘Ａの一実施例を添付図面に基づいて説明する。
図１に示すように、調節水閘Ａは、水平方向の排水管接続部１，１と垂直方向の立上管接続部２を有するＴ字状の水閘チーズ３と、該水閘チーズ３の立上管接続部２に固定立設された水閘立上管４と、該水閘立上管４外周にシールパッキンを介して摺動自在に嵌合されたスライド管５と、該スライド管５の上端開口を閉塞するスライド管キャップ６とからなる。
前記水閘チーズ３内部に一端を排水管接続部１の内壁に連結され、他端を前記立上管接続部２に同心円状に開口された屈曲管７と、該屈曲管７に下端を液密に接続され、前記水閘立上管４内に同心円状に配置された蛇腹管８と、該蛇腹管８の上端を開口状に保持する操作桿ジョイント９を下端に有し、該操作桿ジョイント９に設けた袋ナット１１により外周に寸法目盛１０を形成した操作桿１４を上下調節自在に形成する。
操作桿１４は、上端を前記スライド管５内の上部取付溝１２に嵌合させた支持板１３により保持される。
前記支持板１３は、例えば扇形状をなし前記操作桿１４の上部に左右対称に固定され、前記上部取付溝１２の上側壁には前記支持板１３の扇形形状の開口（図示せず）を設け、該開口から前記上部取付溝１２に前記支持板１３を載せ、操作桿１４を回転させることにより前記スライド管５に前記操作桿１４を固定することができるようになっている。
【０００７】
次に、本発明の調節水閘Ａの一実施例の作用について以下に説明する。
まず、スライド管５の上端、すなわちスライド管キャップ６が畦畔の地面に合うようにスライド管５を水閘立上管４上部外周に沿って摺動させて高さ調節を行う。
すなわち、地中に集水管、排水管を敷設した後、水閘チーズ３の排水管接続部１をそれぞれ排水管に接続し、畦畔の地面に合う高さに前記スライド管５を伸縮して高さ合わせを行う。
そして、湿田、乾田化の管理のためには、前記スライド管キャップ６を開け、前記スライド管５の上部取付溝１２から支持板１３を外し、操作桿１４を引き上げて前記スライド管５の開口部位置まで操作桿ジョイント９を引き上げる。
つぎに、前記操作桿ジョイント９の袋ナット１１を緩めて寸法目盛１０に合わせて操作桿１４の長さ調節を行い、再び袋ナット１１を締めて前記操作桿１４固定する。
その後、前記操作桿１４をスライド管５内に戻し、前記上部取付溝１２に支持板１３を保持させ、前記スライド管キャップ６を閉蓋する。
これで、用水路からの水は、水閘チーズ３の排水管接続部１から流入し、屈曲管７を経て蛇腹管８の開口部１５から溢水してもう一方の排水管接続部１に排水される。
したがって、前記操作桿１４の長さ調節を行うことにより、蛇腹管８の開口部１５位置を調節できるので、簡単に水位調節、すなわち湿田、乾田化の管理を行うことができる。
さらに、前記スライド管５を水閘立上管４上部外周に沿って伸縮させて調節水閘Ａの高さ調節を行うことができるので、調節水閘Ａの上端の高さを任意に調節でき、前記スライド管キャップ６を畦畔の地面と同一面に配設できる。
【０００８】
次に、本発明の調節水閘Ｂの他の実施例を添付図面に基づいて説明する。
図２に示すように、調節水閘Ｂは、水平方向の排水管接続部１，１と垂直方向の立上管接続部２を有するＴ字状の水閘チーズ３と、該水閘チーズ３に固定立設された水閘立上管４と、該水閘立上管４上部外周に摺動自在に嵌合されたスライド管５と、該スライド管５に収納ＢＯＸ継手１６を介して接続された収納ＢＯＸ管１７と、該収納ＢＯＸ管１７の上端開口を閉塞する収納ＢＯＸキャップ１８とからなる。
前記水閘チーズ３内部に止水栓１９を有し、下端を該止水栓１９に接続され、前記水閘立上管４、収納ＢＯＸ管１７内を立設され、前記収納ＢＯＸ管１７内下部の止水栓固定枠２１に設けた袋ナット３０により固定された止水栓操作管２０と、前記止水栓操作管２０の先端に接続された止水栓取手チーズ２２とからなる。
【０００９】
硬質塩化ビニールなどの合成樹脂からなる前記水閘チーズ３はほぼＴ字形になっており、排水管接続部１を水平方向両側に有していると共に、該排水管接続部１の中間部の垂直方向上側に円筒形状の立上管接続部２を有している。
そして、前記排水管接続部１，１に排水管（図示せず）がそれぞれ嵌合接続され、これにより集水管から排水フリュームへ連通する水路が形成される。
また、前記立上管接続部２には水閘立上管４の下端部が嵌合されて接着剤により固定されている。
前記水閘立上管４は、硬質塩化ビニールなどの合成樹脂からなり、鉛直な円筒形状となっている。
硬質塩化ビニールなどの合成樹脂からなる収納ＢＯＸ継手１６は中間部２３がテーパー状になっており、鉛直な円筒形状の立上管接続部２４を下部に有しているとともに、該立上管接続部２４よりも径の大きい鉛直な円筒形状の収納ＢＯＸ接続部２５を上部に有している。
なお、前記収納ＢＯＸ接続部２５内の下端部には、上向きの段差２６面が形成されている。
そして、前記水閘立上管４の上端部が前記スライド管５の下端部にシールパッキンを介して摺動自在に嵌合され、前記スライド管５の上端部が前記収納ＢＯＸ継手１６の立上管接続部２４に嵌合されて接着剤により固定されている。
【００１０】
硬質塩化ビニールなどの合成樹脂からなる収納ＢＯＸ管１７は鉛直な円筒形状になっており、下端部が前記収納ＢＯＸ継手１６の収納ＢＯＸ接続部２５に嵌合されて接着剤により固定されている。
硬質塩化ビニールなどの合成樹脂からなる円板形状の止水栓固定枠２１は収納ＢＯＸ管１７の下面開口を閉塞するもので、前記収納ＢＯＸ継手１６の段差２６面上に載っている。
なお、止水栓固定枠２１の中央部には外周面がネジになった縦割り筒部２７が形成されており、該筒部２７には袋ナット３０が螺合されている。
硬質塩化ビニール等からなる収納ＢＯＸキャップ１８はほぼ円板形状になっており、収納ＢＯＸ管１７の上面開口を開放可能に閉塞するものである。
そして、前記収納ＢＯＸキャップ１８の下面には、収納ＢＯＸ管１７の上端面に載る嵌合部２８が周囲に形成されている。
また、前記収納ＢＯＸキャップ１８の上面には凹部２９が形成されており、該凹部２９の中央部には蓋取手（図示せず）が形成されている。
【００１１】
前記水閘チーズ３内の水路を開閉する止水部である丸型の止水栓１９は前記水閘チーズ３内において前記排水管接続部１，１間の位置に昇降自在に設けられている。
また、前記止水栓１９には前記水閘立上管４、スライド管５内に位置する止水栓操作管２０の下端部が固定されている。
該止水栓操作管２０は硬質塩化ビニールなどの切断が比較的容易な合成樹脂からなり、鉛直な円筒形状となっている。
そして、前記止水栓操作管２０は前記止水栓固定枠２１の筒部２７を摺動自在に貫通し、上端部が収納ＢＯＸ管１７内に位置している。
なお、前記止水栓固定枠２１の筒部２７の外周側には、止水栓操作管２０を固定する固定具としての袋ナット３０が螺合されている。
さらに、前記止水栓操作管２０の上端部にはほぼＴ字形状の止水栓取手チーズ２２が固定されている。
該止水栓取手チーズ２２は開口状の止水栓操作管接続部３１を下部に有しており、該止水栓操作管接続部３１に止水栓操作管２０が嵌合され、接着剤により固定されている。
【００１２】
次に、本発明の調節水閘Ｂの作用について以下に説明する。
まず、収納ＢＯＸ管１７の上端、すなわち収納ＢＯＸキャップ１８が畦畔の地面に合うようにスライド管５を水閘立上管４上部外周に沿って摺動させて高さ調節を行う。
そのため、地中に集水管、排水管を敷設した後、前記水閘チーズ３の排水管接続部１，１をそれぞれ排水管に接続し、畦畔の地面に合う高さに前記スライド管５を伸縮して高さ合わせを行う。
そして、止水栓操作管２０の上部を収納ＢＯＸ管１７内に位置するように適当な長さに切断し、止水栓取手チーズ２２の止水栓操作管接続部３１を前記止水栓操作管２０の上端部に嵌合して接着する。
そして、湿田、乾田化の管理のために開閉するには、前記収納ＢＯＸキャップ１８を開け、袋ナット３０を緩めた上で止水栓操作管２０を上下動して止水栓１９を開閉操作する。
なお、前記袋ナット３０を締め付ければ前記止水栓操作管２０と共に前記止水栓１９も固定される。
すなわち、調節水閘Ｂを開いた状態では、集水管内に吸水された水田下の地中水が排水管及び水閘チーズ３を通って排水フリュームへ排水されることにより、水田の乾田化が図られる。
一方、調節水閘Ｂを閉じた状態では、集水管からの排水が水閘チーズ３において止水栓１９により遮断されるので、地中水が水田下に止まり、湿田化が図られる。
【００１３】
前記水閘チーズ３から畦畔の地面までの高さは一定していないから、調節水閘Ｂの上端、すなわち収納ＢＯＸキャップ１８を畦畔の地面に位置させるためには、調節水閘Ｂの高さ調節が必要である。
そこで、前記スライド管５を水閘立上管４に沿って伸縮させて調節水閘Ｂの高さ調節を行い、さらに止水栓操作管２０を適当な長さに切断することにより高さ調節を行うことができる。
従って、調節水閘Ｂの上端の高さを任意に調節でき、前記収納ＢＯＸキャップ１８を畦畔の地面と同一面に配設できる。
【００１４】
【効果】
このように、本発明の調節水閘Ａ、Ｂは、畦畔の地面と同一面に調節でき、埋設作業を簡単に行うことができると共に、従来の如く塩化ビニール管の切断残骸を生じることがない。
【図面の簡単な説明】
【図１】本発明の調節水閘Ａの一部切断正面図である。
【図２】本発明の調節水閘Ｂの一部切断正面図である。
【図３】従来の暗渠排水用バルブの断面図である。
【符号の説明】
１  排水管接続部
２  立上管接続部
３  水閘チーズ
４  水閘立上管
５  スライド管
６  スライド管キャップ
７  屈曲管
８  蛇腹管
９  操作桿ジョイント
１０  寸法目盛
１１  袋ナット
１２  上部取付溝
１３  支持板
１４  操作桿
１５  開口部
１６  収納ＢＯＸ継手
１７  収納ＢＯＸ管
１８  収納ＢＯＸキャップ
１９  止水栓
２０  止水栓操作管
２１  止水栓固定枠
２２  止水栓取手チーズ
２３  中間部
２４  立上管接続部
２５  収納ＢＯＸ接続部
２６  段差
２７  筒部
２８  嵌合部
２９  凹部
３０  袋ナット
３１  止水栓操作管接続部
【図１】
2005016193.tif 000003
【図２】
2005016193.tif 000004
【図３】
2005016193.tif 000005